(57)【要約】【課題】所望の表示処理の行われた画像が表示されるまでのストレスを低減する。【解決手段】画像表示装置１は、表示部１１と、表示部１１に画像を表示させるＣＰＵ１８とを備える。ＣＰＵ１８は、表示部１１に表示される画像に含まれる所定の特徴点Ｐｔを検出するとともに、表示部１１に表示された画像内の一点を代替中心点Ｐｄとして、当該画像に所定の特殊表示処理を行う。ＣＰＵ１８は、画像が表示された後、特徴点Ｐｔの検出が完了するまでの間に、代替中心点Ｐｄを所定の経路に沿って移動させるとともに、特徴点Ｐｔの検出が完了した後に、代替中心点Ｐｄを特徴点Ｐｔに移動させる。【選択図】図６
2012053309.tif 000002
【特許請求の範囲】
【請求項１】
表示手段と、
前記表示手段に画像を表示させる画像表示制御手段と、
前記表示手段に表示される画像に含まれる所定の特徴点を検出する特徴点検出手段と、
前記表示手段に表示された画像内の一点を処理対象の中心点として、当該画像に所定の特殊表示処理を行う特殊表示処理手段と、
前記画像表示制御手段により画像が表示された後、前記特徴点検出手段による前記特徴点の検出が完了するまでの間に、前記処理対象の中心点を所定の経路に沿って移動させるとともに、前記特徴点検出手段による前記特徴点の検出が完了した後に、前記処理対象の中心点を当該特徴点に移動させる特殊表示位置制御手段と、
を備えることを特徴とする画像表示装置。
【請求項２】
請求項１記載の画像表示装置において、
前記画像表示制御手段による画像の表示タイミングから前記特徴点の検出完了時点Ｔ０までの経過時間をｔ０とし、
前記画像表示制御手段による画像の表示タイミングから、前記処理対象の中心点が前記特徴点に移動して前記特殊表示処理が完了する時点Ｔ１までの経過時間をｔ１（ｔ０＜ｔ１）とし、
前記表示手段による表示領域の横軸をｘ軸、縦軸をｙ軸とし、
前記特徴点のｘｙ座標を（ｘ１，ｙ１）とし、
時点Ｔ０での前記処理対象の中心点のｘｙ座標を（ｘ０，ｙ０）とし、かつ、
時点Ｔ０での前記処理対象の中心点の移動速度のｘ軸成分，ｙ軸成分をｖ０ｘ，ｖ０ｙとした場合に、
前記特殊表示位置制御手段は、
前記特徴点検出手段による前記特徴点の検出が完了した後に、
時点Ｔ０以降での前記処理対象の中心点の移動加速度のｘ軸成分Ａｘ，ｙ軸成分Ａｙを下記の式（１），（２）から算出するとともに、
或る時間ｔ（ｔ０≦ｔ≦ｔ１）での前記処理対象の中心点の座標（ｘ，ｙ）を下記の式（３），（４）から算出し、
これらの算出結果に基づいて、前記処理対象の中心点を前記特徴点に移動させることを特徴とする画像表示装置。
x1-x0 =v0x(t1-t0)+1/2*Ax(t1-t0)2    …（１）
y1-y0 =v0y(t1-t0)+1/2*Ay(t1-t0)2    …（２）
x=v0x(t-t0)+1/2*Ax(t-t0)2+x0    …（３）
y=v0y(t-t0)+1/2*Ay(t-t0)2+y0    …（４）
【請求項３】
請求項１または２記載の画像表示装置において、
前記特殊表示位置制御手段は、
前記画像表示制御手段による画像の表示タイミングから所定の時間が経過し、かつ、前記特徴点検出手段による前記特徴点の検出が完了した後に、前記処理対象の中心点を当該特徴点に移動させることを特徴とする画像表示装置。
【請求項４】
請求項１〜３の何れか一項に記載の画像表示装置において、
前記特殊表示処理手段は、
前記特殊表示処理として、ズーム処理を行うことを特徴とする画像表示装置。
【請求項５】
請求項１〜３の何れか一項に記載の画像表示装置において、
画像を撮影する撮影手段を備え、
前記画像表示制御手段は、
前記撮影手段により取得されるライブビュー画像を前記表示手段に表示させ、
前記特殊表示処理手段は、
前記特殊表示処理として、ピント合わせ処理を行うことを特徴とする画像表示装置。
【請求項６】
表示手段を備えるコンピュータに、
前記表示手段に画像を表示させる画像表示制御機能と、
前記表示手段に表示される画像に含まれる所定の特徴点を検出する特徴点検出機能と、
前記表示手段に表示された画像内の一点を処理対象の中心点として、当該画像に所定の特殊表示処理を行う特殊表示処理機能と、
前記画像表示制御機能により画像が表示された後、前記特徴点検出機能による前記特徴点の検出が完了するまでの間に、前記処理対象の中心点を所定の経路に沿って移動させるとともに、前記特徴点検出機能による前記特徴点の検出が完了した後に、前記処理対象の中心点を当該特徴点に移動させる特殊表示位置制御機能と、
を実現させることを特徴とするプログラム。
【発明の詳細な説明】
【技術分野】
【０００１】
本発明は、画像表示装置及びプログラムに関する。
【背景技術】
【０００２】
従来より、フォトフレーム等の画像表示装置においては、画像を表示する際に、画像内の特徴点（例えば顔部分など）を検出し、この特徴点を中心とする領域に対して特殊な表示処理（例えばズーム処理やピント合わせ処理など）を行うことが可能となっている（例えば、特許文献１〜４参照。）
【先行技術文献】
【特許文献】
【０００３】
【特許文献１】特開２００９−０８０８１５号公報
【特許文献２】特開２００７−２６４００６号公報
【特許文献３】特開２００６−２９３７８２号公報
【特許文献４】特開２００５−１８２１９６号公報
【発明の概要】
【発明が解決しようとする課題】
【０００４】
しかしながら、上記特許文献１〜４の技術では、特徴点の検出が完了していない間は、検出の完了まで画像を表示しないか、特殊な表示処理を行わずに画像をそのまま表示するしかなく、何れの場合であっても、所望の表示処理の行われた画像が表示されるまでにストレスを感じさせてしまう。そして、このような問題は、ＣＰＵの性能が高くない場合や、数秒単位で次々に新たな画像を表示するいわゆるスライドショーモードを実行する場合において顕著になってしまう。
【０００５】
本発明の課題は、所望の表示処理の行われた画像が表示されるまでのストレスを低減することのできる画像表示装置及びプログラムを提供することである。
【課題を解決するための手段】
【０００６】
上記課題を解決するため、請求項１に記載の発明は、画像表示装置において、
表示手段と、
前記表示手段に画像を表示させる画像表示制御手段と、
前記表示手段に表示される画像に含まれる所定の特徴点を検出する特徴点検出手段と、
前記表示手段に表示された画像内の一点を処理対象の中心点として、当該画像に所定の特殊表示処理を行う特殊表示処理手段と、
前記画像表示制御手段により画像が表示された後、前記特徴点検出手段による前記特徴点の検出が完了するまでの間に、前記処理対象の中心点を所定の経路に沿って移動させるとともに、前記特徴点検出手段による前記特徴点の検出が完了した後に、前記処理対象の中心点を当該特徴点に移動させる特殊表示位置制御手段と、
を備えることを特徴とする。
【０００７】
請求項２記載の発明は、請求項１記載の画像表示装置において、
前記画像表示制御手段による画像の表示タイミングから前記特徴点の検出完了時点Ｔ０までの経過時間をｔ０とし、
前記画像表示制御手段による画像の表示タイミングから、前記処理対象の中心点が前記特徴点に移動して前記特殊表示処理が完了する時点Ｔ１までの経過時間をｔ１（ｔ０＜ｔ１）とし、
前記表示手段による表示領域の横軸をｘ軸、縦軸をｙ軸とし、
前記特徴点のｘｙ座標を（ｘ１，ｙ１）とし、
時点Ｔ０での前記処理対象の中心点のｘｙ座標を（ｘ０，ｙ０）とし、かつ、
時点Ｔ０での前記処理対象の中心点の移動速度のｘ軸成分，ｙ軸成分をｖ０ｘ，ｖ０ｙとした場合に、
前記特殊表示位置制御手段は、
前記特徴点検出手段による前記特徴点の検出が完了した後に、
時点Ｔ０以降での前記処理対象の中心点の移動加速度のｘ軸成分Ａｘ，ｙ軸成分Ａｙを下記の式（１），（２）から算出するとともに、
或る時間ｔ（ｔ０≦ｔ≦ｔ１）での前記処理対象の中心点の座標（ｘ，ｙ）を下記の式（３），（４）から算出し、
これらの算出結果に基づいて、前記処理対象の中心点を前記特徴点に移動させることを特徴とする。
x1-x0 =v0x(t1-t0)+1/2*Ax(t1-t0)2    …（１）
y1-y0 =v0y(t1-t0)+1/2*Ay(t1-t0)2    …（２）
x=v0x(t-t0)+1/2*Ax(t-t0)2+x0    …（３）
y=v0y(t-t0)+1/2*Ay(t-t0)2+y0    …（４）
【０００８】
請求項３記載の発明は、請求項１または２記載の画像表示装置において、
前記特殊表示位置制御手段は、
前記画像表示制御手段による画像の表示タイミングから所定の時間が経過し、かつ、前記特徴点検出手段による前記特徴点の検出が完了した後に、前記処理対象の中心点を当該特徴点に移動させることを特徴とする。
【０００９】
請求項４記載の発明は、請求項１〜３の何れか一項に記載の画像表示装置において、
前記特殊表示処理手段は、
前記特殊表示処理として、ズーム処理を行うことを特徴とする。
【００１０】
請求項５記載の発明は、請求項１〜４の何れか一項に記載の画像表示装置において、
画像を撮影する撮影手段を備え、
前記画像表示制御手段は、
前記撮影手段により取得されるライブビュー画像を前記表示手段に表示させ、
前記特殊表示処理手段は、
前記特殊表示処理として、ピント合わせ処理を行うことを特徴とする。
【００１１】
請求項６記載の発明は、プログラムにおいて、
表示手段を備えるコンピュータに、
前記表示手段に画像を表示させる画像表示制御機能と、
前記表示手段に表示される画像に含まれる所定の特徴点を検出する特徴点検出機能と、
前記表示手段に表示された画像内の一点を処理対象の中心点として、当該画像に所定の特殊表示処理を行う特殊表示処理機能と、
前記画像表示制御機能により画像が表示された後、前記特徴点検出機能による前記特徴点の検出が完了するまでの間に、前記処理対象の中心点を所定の経路に沿って移動させるとともに、前記特徴点検出機能による前記特徴点の検出が完了した後に、前記処理対象の中心点を当該特徴点に移動させる特殊表示位置制御機能と、
を実現させることを特徴とする。
【発明の効果】
【００１２】
本発明によれば、表示された画像内の一点を処理対象の中心点として当該画像に所定の特殊表示処理が行われ、画像が表示された後、画像に含まれる特徴点の検出が完了するまでの間には、処理対象の中心点が所定の経路に沿って移動するとともに、特徴点の検出が完了した後には、処理対象の中心点が当該特徴点に移動するので、特徴点の検出が完了していない間であっても、処理対象の中心点が所定の経路に沿って移動しつつ、画像に特殊表示処理が行われる。従って、特徴点の検出完了までは意外性をもって表示状態が変化して面白みを感じさせ、特徴点の検出完了後は特徴点の強調を行うことができるため、従来と比較して、所望の表示処理の行われた画像が表示されるまでのストレスを低減することができる。
【図面の簡単な説明】
【００１３】
【図１】画像表示装置の概略構成を示すブロック図である。
【図２】画像表示装置の概略構成を示す正面図である。
【図３】（ａ）は代替中心位置テーブルのデータ構造を示す図であり、（ｂ）はズーム設定テーブルのデータ構造を示す図である。
【図４】画像表示処理の流れを示すフローチャートである。
【図５】表示部の表示内容を示す図である。
【図６】表示部の表示内容を示す図である。
【図７】表示部の表示内容を示す図である。
【発明を実施するための形態】
【００１４】
以下、添付図面を参照して本発明に係る実施の形態の一例を詳細に説明する。ただし、発明の範囲は、図示例に限定されない。
【００１５】
［構成］
図１は、本発明を適用した画像表示装置１の概略構成を示すブロック図である。なお、本実施形態の画像表示装置１は、例えば図２に示すように、卓上に設置されるデジタルフォトフレーム等であり、外部機器（例えば、デジタルカメラ等）等から画像データを取得し、取得した画像データに基づく表示を行うようになっている。
【００１６】
具体的には、画像表示装置１は、図１に示すように、表示部１１と、入力部１２と、通信部１３と、記憶媒体読取部１４と、ＲＯＭ１５と、ＲＡＭ１６と、ＣＰＵ１８等とを備えて構成されている。
【００１７】
表示部１１は、例えば、液晶ディスプレイ（ＬＣＤ）や有機エレクトロルミネッセンス（Electro-Luminescence：ＥＬ）ディスプレイ等からなり、ＣＰＵ１８からの表示信号に従って各種情報を表示するようになっている。なお、本実施の形態においては、表示部１１における表示領域の中央を原点とし、横軸をｘ軸、縦軸をｙ軸として説明を行う（図２参照）。
【００１８】
入力部１２は、例えば、画像データの選択、送り操作等を行うためのカーソルキーや決定キー、表示部１１による表示を終了させる表示終了キー等の各種機能キーを備え、ユーザにより操作されたキーの操作信号をＣＰＵ１８に出力するようになっている。なお、上述の図２では、入力部１２の図示を省略している。
【００１９】
通信部１３は、他の電子機器との間でデータ通信を行うものであり、本実施の形態においては、ＲＯＭ１５内の情報を送受信できるようになっている。
【００２０】
記憶媒体読取部１４は、カードスロット１４０を備えており、当該カードスロット１４０に装着された外部情報記憶媒体１４ａから情報を読み出したり、当該外部情報記憶媒体１４ａに情報を記録したりするようになっている。なお、この外部情報記憶媒体１４ａには、ＲＯＭ１５やＲＡＭ１６内の情報を記録できるようになっている。
【００２１】
ＲＯＭ１５は、画像表示装置１の各種機能を実現するためのプログラムやデータを記憶するメモリである。本実施の形態においては、ＲＯＭ１５は、本発明に係る画像表示プログラム１５０と、代替中心位置テーブル１５１と、ズーム設定テーブル１５２等とを記憶している。
【００２２】
画像表示プログラム１５０は、後述の画像表示処理（図４参照）をＣＰＵ１８に実行させるためのプログラムである。
【００２３】
代替中心位置テーブル１５１は、図３（ａ）に示すように、代替中心点Ｐｄ（図５など参照）の座標を、所定間隔の時間（０秒，１秒，…）に対応付けて複数記憶している。ここで、代替中心点Ｐｄとは、後述の画像表示処理（図４参照）において特殊表示処理を本来行うべき対象領域の中心点（以下、画像の特徴点Ｐｔとする。図５など参照）が画像から検出されるまでの間に、代替的に特徴点Ｐｔとして扱われる点であり、本実施の形態においては、代替中心点Ｐｄが四角張った渦巻状の経路に沿って移動するよう、各時点での座標が設定されている。また、特殊表示処理としては、ズーム処理や、対象領域を枠で囲んで表示する処理、対象領域を枠で囲んでその内側を別領域に拡大して表示する処理、対象領域のみにピントが合ったように他の領域をぼかして表示する処理などがある。また、画像の特徴点Ｐｔとしては、例えば人物の顔部分など、観覧者の注目を集める部分を用いることができる。
【００２４】
ズーム設定テーブル１５２は、図３（ｂ）に示すように、所定間隔の時間（０秒，１秒，…）に対応付けてズーム倍率（１００％，１１０％，…）を複数記憶している。なお、このズーム設定テーブル１５２では、時間が１秒増えるに従ってズーム倍率が１０％ずつ大きくなり、時間が１０秒に達した時点でズーム倍率が２００％になってズーム処理が完了するよう、各時点でのズーム倍率が設定されている。
【００２５】
ＲＡＭ１６は、ＣＰＵ１８が実行する各種プログラムや、これらプログラムの実行に係るデータ等を一時的に保持するメモリ領域を備えており、本実施の形態においては、画像データ記憶領域１６１を有している。
【００２６】
この画像データ記憶領域１６１には、後述の画像表示処理（図４参照）において表示対象の画像データが格納されるようになっている。
【００２７】
ＣＰＵ１８は、入力される指示に応じて所定のプログラムに基づいた処理を実行し、各機能部への指示やデータの転送等を行い、画像表示装置１を統括的に制御するようになっている。具体的には、ＣＰＵ１８は、入力部１２から入力される操作信号等に応じてＲＯＭ１５に格納された各種プログラムを読み出し、当該プログラムに従って処理を実行する。そして、ＣＰＵ１８は、処理結果をＲＡＭ１６に保存するとともに、当該処理結果を表示部１１に適宜出力させる。
【００２８】
［動作］
続いて、画像表示装置１による画像表示処理について、図４を参照しつつ説明する。
【００２９】
この画像表示処理においては、まずＣＰＵ１８は、ユーザ操作に基づいて表示対象の画像データを設定した後（ステップＳ１）、当該画像データをデコードして、その画像（以下、表示対象画像とする）に含まれる特徴点Ｐｔの検出処理を開始する（ステップＳ２）。ここで、特徴点Ｐｔの検出処理には、従来より公知の技術を用いることができる。
【００３０】
次に、ＣＰＵ１８は、画像の特徴点Ｐｔの検出が完了したか否かを判定し（ステップＳ３）、完了していないと判定した場合（ステップＳ３；Ｎｏ）には、表示対象画像の全体を表示部１１に表示させるとともに、このタイミングからの経過時間のカウントを開始する（ステップＳ４）。
【００３１】
次に、ＣＰＵ１８は、代替中心位置テーブル１５１から経時「０」に対応する代替中心点Ｐｄの座標を読み出して、この代替中心点Ｐｄを中心として表示対象画像に特殊表示処理を行うことにより、表示対象画像に対する特殊表示処理を開始する（ステップＳ５）。ここで、本実施の形態においてＣＰＵ１８は、代替中心点Ｐｄを中心としたズーム処理を特殊表示処理として行うようになっており、より詳細には、ズーム設定テーブル１５２の内容に基づいて、経過時間が１秒増える間にズーム倍率が１０％ずつ連続的に大きくなり、かつ経過時間が１０秒になった時点でズーム倍率が２００％になってズーム倍率の増加が終了するよう、各時点での代替中心点Ｐｄを中心としてズーム処理を行うようになっている。
【００３２】
次に、ＣＰＵ１８は、代替中心位置テーブル１５１の内容に従って、代替中心点Ｐｄを移動させる（ステップＳ６）。より詳細には、このときＣＰＵ１８は、代替中心位置テーブル１５１内の情報に基づいて、経過時間が代替中心位置テーブル１５１の格納時間（０秒，１秒，…）に一致する各タイミングで、当該格納時間の対応座標（（−１，０），（−１，０），…）上に代替中心点Ｐｄを位置させつつ、代替中心点Ｐｄに等速直線運動を行わせる。これにより、代替中心点Ｐｄが所定の経路（ここでは四角張った渦巻状の経路）に沿って移動することになる。
【００３３】
次に、ＣＰＵ１８は、画像の特徴点Ｐｔの検出が完了したか否かを判定し（ステップＳ７）、完了していないと判定した場合（ステップＳ７；Ｎｏ）には、上述のステップＳ６に移行する。
【００３４】
また、ステップＳ７において画像の特徴点Ｐｔの検出が完了したと判定した場合（ステップＳ７；Ｙｅｓ）には、ＣＰＵ１８は、代替中心点Ｐｄを特徴点Ｐｔに近づくよう移動させる（ステップＳ８）。
【００３５】
より詳細には、このステップＳ８においてＣＰＵ１８は、以下のようにして代替中心点Ｐｄを移動させるようになっている。
【００３６】
即ち、まずＣＰＵ１８は、表示対象画像の表示タイミングから特徴点Ｐｔの検出完了時点Ｔ０までの経過時間をｔ０(秒)（本実施の形態においては０≦ｔ０＜１０）、表示対象画像の表示タイミングから、代替中心点Ｐｄが特徴点Ｐｔに移動して特殊表示処理が完了する時点Ｔ１までの経過時間をｔ１(秒)（本実施の形態においてはｔ１＝１０）、特徴点Ｐｔのｘｙ座標を（ｘ１，ｙ１）、特徴点Ｐｔの検出完了時点Ｔ０での代替中心点Ｐｄのｘｙ座標を（ｘ０，ｙ０）として設定する。また、ＣＰＵ１８は、代替中心点Ｐｄの移動速度のｘ軸成分，ｙ軸成分をｖ０ｘ，ｖ０ｙ（但し、ｖ０ｘ，ｖ０ｙは、時点Ｔ０までの１秒の間に表示部１１の表示領域内で代替中心点Ｐｄが移動したｘ軸方向，ｙ軸方向のピクセル数）として設定する。そして、ＣＰＵ１８は、時点Ｔ０以降での代替中心点Ｐｄの加速度のｘ軸成分Ａｘ，ｙ軸成分Ａｙを下記の式（１），（２）から算出するとともに、ｔ０≦ｔ≦ｔ１を満たす各時間ｔでの代替中心点Ｐｄの座標（ｘ，ｙ）を下記の式（３），（４）から算出し、これらの算出結果に基づいて、代替中心点Ｐｄを特徴点Ｐｔに移動させる。
【００３７】
x1-x0 =v0x(t1-t0)+1/2*Ax(t1-t0)2    …（１）
y1-y0 =v0y(t1-t0)+1/2*Ay(t1-t0)2    …（２）
【００３８】
x=v0x(t-t0)+1/2*Ax(t-t0)2+x0    …（３）
y=v0y(t-t0)+1/2*Ay(t-t0)2+y0    …（４）
【００３９】
そして、ＣＰＵ１８は、代替中心点Ｐｄと特徴点Ｐｔとが一致するか否かを判定し（ステップＳ９）、一致しないと判定した場合（ステップＳ９；Ｎｏ）にはステップＳ８に移行する一方、一致すると判定した場合（ステップＳ９；Ｙｅｓ）には画像表示処理を終了する。
【００４０】
また、上述のステップＳ３において画像の特徴点Ｐｔの検出が完了したと判定した場合（ステップＳ３；Ｙｅｓ）には、ＣＰＵ１８は、表示対象画像の全体を表示部１１に表示させるとともに、このタイミングからの経過時間のカウントを開始して（ステップＳ１１）、上述のステップＳ５と同様にして特殊表示処理を開始した後（ステップＳ１２）、上述のステップＳ８に移行する。
【００４１】
（画像表示処理の動作例）
続いて、図５〜図７を参照しつつ、上記の画像表示処理を具体的に説明する。なお、以下の動作例においては、特殊表示処理をズーム処理として説明する。
【００４２】
＜動作例（１）＞
まず、表示対象の画像データが設定されると（ステップＳ１）、表示対象画像に含まれる特徴点Ｐｔの検出処理が開始される（ステップＳ２）。但し、本動作例（１）においては、特徴点Ｐｔが予め検出されているか、或いは画像表示処理の開始後に即座に検出されることとして説明する。
【００４３】
次に、画像の特徴点Ｐｔの検出が完了したと判定され（ステップＳ３；Ｙｅｓ）、図５（ａ）に示すように、表示対象画像の全体が表示部１１に表示されるとともに、このタイミングからの経過時間のカウントが開始される（ステップＳ１１）。
【００４４】
次に、代替中心位置テーブル１５１から経時「０」に対応する代替中心点Ｐｄの座標（０，０）が読み出されて、この代替中心点Ｐｄ（０，０）を中心として表示対象画像に拡大率１００％でズーム処理が行われる（ステップＳ１２）。以降、経過時間が１秒増える間にズーム倍率が１０％ずつ連続的に大きくなり、かつ経過時間が１０秒になった時点でズーム倍率が２００％になってズーム倍率の増加が終了するよう、各時点での代替中心点Ｐｄを中心としてズーム処理が行われる。
【００４５】
次に、特徴点Ｐｔに近づくよう代替中心点Ｐｄが移動する（ステップＳ８）。より詳細には、経過時間ｔ０がｔ０＝０、経過時間ｔ１がｔ１＝１０、特徴点Ｐｔのｘｙ座標（ｘ１，ｙ１）が検出結果の座標、時点Ｔ０での代替中心点Ｐｄのｘｙ座標が（ｘ０，ｙ０）＝（０，０）として設定される。また、代替中心点Ｐｄの移動速度（ｖ０ｘ，ｖ０ｙ）が（０，０）として設定される。そして、時点Ｔ０（＝０）以降での代替中心点Ｐｄの加速度（Ａｘ，Ａｙ）が上述の式（１），（２）から算出されるとともに、０＜ｔ≦１０を満たす各時間ｔでの代替中心点Ｐｄの座標（ｘ，ｙ）が上述の式（３），（４）から算出され、これらの算出結果に基づいて、代替中心点Ｐｄが特徴点Ｐｔに移動する。一方、この間、経過時間が１秒増える間にズーム倍率は１０％ずつ連続的に大きくなる。但し、図５（ａ）では、説明の簡略化のため、表示対象画像をズームせずに表示している。
【００４６】
そして、代替中心点Ｐｄが特徴点Ｐｔと一致すると判定され（ステップＳ９；Ｙｅｓ）、画像表示処理が終了する。
【００４７】
＜動作例（２）＞
まず、表示対象の画像データが設定されると（ステップＳ１）、表示対象画像に含まれる特徴点Ｐｔの検出処理が開始される（ステップＳ２）。
【００４８】
次に、画像の特徴点Ｐｔの検出が完了していないと判定され（ステップＳ３；Ｎｏ）、図５（ｂ）に示すように、表示対象画像の全体が表示部１１に表示され、このタイミングからの経過時間のカウントが開始される（ステップＳ４）。
【００４９】
次に、代替中心位置テーブル１５１から経時「０」に対応する代替中心点Ｐｄの座標（０，０）が読み出されて、この代替中心点Ｐｄ（０，０）を中心として表示対象画像に拡大率１００％でズーム処理が行われる（ステップＳ５）。以降、経過時間が１秒増える間にズーム倍率が１０％ずつ連続的に大きくなり、かつ経過時間が１０秒になった時点でズーム倍率が２００％になってズーム倍率の増加が終了するよう、各時点での代替中心点Ｐｄを中心としてズーム処理が行われる。
【００５０】
次に、代替中心位置テーブル１５１の内容に従って、代替中心点Ｐｄが移動する（ステップＳ６）。これにより、例えば経過時間が１秒，２秒，３秒となる各タイミングで、その時点での経過時間に対応する座標（−１，０），（−１、−１），（０、−１）に代替中心点Ｐｄが位置する。
一方、この間、経過時間が１秒増える間にズーム倍率が１０％ずつ連続的に大きくなる。
これにより、図５（ｂ）や図６に示すように、代替中心点Ｐｄが四角張った渦巻状の経路に沿って移動しつつ、ズーム倍率が増加することになる。但し、図５（ｂ）では、各時点での代替中心点Ｐｄを表示対象画像上に示し、表示対象画像をズームせずに表示している。
【００５１】
次に、図７（ａ）〜（ｄ）に示すように、画像の特徴点Ｐｔの検出が完了したと判定されると（ステップＳ７；Ｙｅｓ）、特徴点Ｐｔに近づくよう代替中心点Ｐｄが移動する（ステップＳ８）。より詳細には、経過時間ｔ０がｔ０＝４、経過時間ｔ１がｔ１＝１０、特徴点Ｐｔのｘｙ座標（ｘ１，ｙ１）が検出結果の座標、時点Ｔ０での代替中心点Ｐｄのｘｙ座標が（ｘ０，ｙ０）＝（１、−１）として設定される。また、代替中心点Ｐｄの移動速度（ｖ０ｘ，ｖ０ｙ）が算出されて設定される。そして、時点Ｔ０（＝４）以降での代替中心点Ｐｄの加速度（Ａｘ，Ａｙ）が上述の式（１），（２）から算出されるとともに、４≦ｔ≦１０を満たす各時間ｔでの代替中心点Ｐｄの座標（ｘ，ｙ）が上述の式（３），（４）から算出され、これらの算出結果に基づいて、代替中心点Ｐｄが特徴点Ｐｔに移動する。一方、この間、経過時間が１秒増える間にズーム倍率は１０％ずつ連続的に大きくなる。これにより、図７（ｂ）〜（ｃ）に示すように、代替中心点Ｐｄが特徴点Ｐｔに移動しつつ、ズーム倍率が増加する。但し、図７（ｂ），（ｃ）では、説明の簡略化のため、表示対象画像をズームせずに表示している。
【００５２】
そして、代替中心点Ｐｄが特徴点Ｐｔと一致すると判定され（ステップＳ９；Ｙｅｓ）、画像表示処理が終了する。
【００５３】
以上のように、本実施形態の画像表示装置１によれば、図４のステップＳ５〜Ｓ７、図５〜図６等に示したように、表示対象画像内の一点を代替中心点Ｐｄとして当該画像に特殊表示処理が行われ、表示対象画像が表示された後、当該表示対象画像に含まれる特徴点Ｐｔの検出が完了するまでの間には、代替中心点Ｐｄが所定の経路に沿って移動するとともに、特徴点Ｐｔの検出が完了した後には、代替中心点Ｐｄが当該特徴点Ｐｔに移動するので、特徴点Ｐｔの検出が完了していない間であっても、代替中心点Ｐｄが所定の経路に沿って移動しつつ、表示対象画像に特殊表示処理が行われる。従って、特徴点Ｐｔの検出完了までは意外性をもって表示状態が変化して面白みを感じさせ、特徴点Ｐｔの検出完了後は特徴点Ｐｔの強調を行うことができるため、従来と比較して、所望の表示処理の行われた画像が表示されるまでのストレスを低減することができる。
【００５４】
また、図４のステップＳ８や図７等に示したように、代替中心点Ｐｄの移動加速度（Ａｘ，Ａｙ）を式（１），（２）から算出するとともに、時間ｔ（ｔ０≦ｔ≦ｔ１）での代替中心点Ｐｄの座標（ｘ，ｙ）を式（３），（４）から算出し、これらの算出結果に基づいて代替中心点Ｐｄを特徴点Ｐｔに移動させるので、代替中心点Ｐｄを滑らかな経路で、加速させつつ特徴点Ｐｔに移動させることができる。従って、代替中心点Ｐｄの移動先である特徴点Ｐｔを観覧者に強く印象付けることができる。
【００５５】
なお、上記の実施の形態における画像表示装置１の各構成要素の細部構成及び細部動作に関しては、本発明の趣旨を逸脱しない範囲で適宜変更可能であることは勿論である。
【００５６】
例えば、本発明に係る画像表示装置をフォトフレーム等として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る画像表示プログラム１５０は、画像表示装置１に対して着脱可能なメモリカード、ＣＤ等に記憶されることとしてもよい。
【００５７】
また、特徴点Ｐｔの検出が完了した後に代替中心点Ｐｄが特徴点Ｐｔに移動することとして説明したが、特徴点Ｐｔの検出が完了し、かつ、表示対象画像が表示部１１に表示されてから所定の時間が経過した後に、代替中心点Ｐｄが特徴点Ｐｔに移動することとしても良い。この場合には、代替中心点Ｐｄが画像の表示開始直後に特徴点Ｐｔに移動してしまうのを防止することができるため、特徴点Ｐｔの検出完了までは面白みを感じさせ、特徴点Ｐｔの検出完了後は特徴点Ｐｔの強調を行う、という効果を確実に得ることができる。
【００５８】
また、本発明に係る画像表示装置をデジタルフォトフレーム等として説明したが、デジタルカメラとしても良い。さらに、このデジタルカメラでは、画像を撮影する撮影手段が備えられ、撮影手段により取得されるライブビュー画像を表示可能であることが好ましく、特殊表示処理としてライブビュー画像のピント合わせ処理を行うことがより好ましい。
【００５９】
また、代替中心位置テーブル１５１に基づいて代替中心点Ｐｄのｘｙ座標を取得することとして説明したが、時間ｔのパラメータ式から随時、ｘｙ座標を算出することとしても良い。このようなパラメータ式としては、例えばx=tcos(t)，y=tsin(t)などを用いることができ、このパラメータ式からｘｙ座標を算出する場合には、代替中心点Ｐｄの経路を渦巻状とすることができる。
【００６０】
また、１種類の代替中心位置テーブル１５１のみからｘｙ座標を取得することとして説明したが、複数種類の代替中心位置テーブル１５１を用意しておき、ランダムに選択される代替中心位置テーブル１５１から取得することとしても良い。この場合には、代替中心点Ｐｄの経路にバリエーションが生じるため、特徴点Ｐｔの検出完了までに一層面白みを感じさせることができる。
【符号の説明】
【００６１】
１          画像表示装置
１１              表示部
１２              入力部
１５              ＲＯＭ
１６              ＲＡＭ
１８              ＣＰＵ
１５０            画像表示プログラム
【図１】
2012053309.tif 000003
【図２】
2012053309.tif 000004
【図３】
2012053309.tif 000005
【図４】
2012053309.tif 000006
【図５】
2012053309.tif 000007
【図６】
2012053309.tif 000008
【図７】
2012053309.tif 000009